(57)【特許請求の範囲】
【請求項１】
硬質シート台と、この硬質シート台の一方端に固定され、他方端にのびた第１の帯紐と、この帯紐に間隔を置いて下端部が連結された複数の起倒可能な板状つか部と、各板状つか部の上端部と硬質シート台の周縁に固着された１つの覆い袋部と、該一方端より直近の板状つか部の下端部に接続された第２の帯紐とからなり、第１の帯紐を他方端で引っ張ると各板状つか部が起立して覆い袋部が張り膨らみ、また第２の帯紐を一方端で引っ張ると板状つか部が倒れて覆い袋部が平坦化され、折りたたみ可能になることを特徴とする、プレハブ住宅などユニット用カバーの内装支持具。
【請求項２】
天井のないプレハブユニットの上部開口縁に固定される橋板枠上に硬質シート台が固定されるていることを特徴とする、請求項１に記載のプレハブ住宅などユニット用カバーの内装支持具。
【請求項３】
硬質シート台の両端にフックを有し、橋板枠の両端にリングを有していることを特徴とする、請求項２に記載のプレハブ住宅などユニット用カバーの内装支持具。
【請求項４】
橋板枠が長手方向に長短調節可能に構成されていることを特徴とする、請求項２又は３に記載のプレハブ住宅などユニット用カバーの内装支持具。
【請求項５】
天井のないプレハブユニットの上部開口縁に固定される橋板枠と硬質シート台とが一体に構成されていることを特徴とする、請求項１に記載のプレハブ住宅などユニット用カバーの内装支持具。
【請求項６】
覆い袋部がその一部に通気部を有していることを特徴とする、請求項１，２，３，４又は５に記載のプレハブ住宅などユニット用カバーの内装支持具。
【発明の詳細な説明】
【０００１】
【発明の属する技術分野】
本発明は、プレハブ住宅などのユニットをその上部より覆うための下面部を欠いた略方形体の保護カバー、とくにそのユニット上部が平坦又は天井がないものについて、保護カバーが屋根型を形成するようにした、プレハブ住宅などユニット用カバーの内装支持具に関する。
【０００２】
【従来の技術】
住宅などの建築において、プレハブ住宅など半製品の住宅ユニットを製造現場であらかじめ造っておき、その現場近くまたは流通倉庫にしかも野外に保護カバーをかけてストックしておく場合が多い。このような保護カバーは住宅ユニットに合わせて長さ４〜８メートル、幅で３メートル近く、高さで３メートル位いある。
【０００３】
とくに、図６に例示するような天井がない断面凹形状のユニットにそのまま保護カバーを覆うと、図８のように保護カバー自体にもその中央部に窪み部ができて、そこに雨により水が溜まる。
【０００４】
そこで、従来ではベニヤ、金属板などの資材を敷設し仮りの屋根を形成してその上部を平坦化した上で、保護カバーで覆ったユニットが敷棒上にストックされ、図７にみられる通りである。
【０００５】
しかし、この場合、野外に放置されたままであるので、雨にあうとその上部に水がたまる。これにより、保護カバー上部が強い陽ざしをうけて劣化し、雨の量が多くなるとその劣化した保護カバー部分より内部のユニットへ雨が洩れ移り、ユニットの壁、ボード、内装材などが損傷を受ける。
【０００６】
このような実情から、内装カバーの上面部内部にエアマットを設けたり（例えば特開昭５１−１３１１３８号公報）、または内装カバー上部を袋部にしてその内部に空気を注入させたりして（例えば実公平７−２８３１８号公報）、屋根を形成させて水がたまらないようした先行例が開示されている。
【０００７】
これは圧縮空気により屋根形成のつか部を起こし屋根を支持していたものであるが、空気洩れが生じると、その支持つか部が倒れ、屋根が崩れて平坦になる。また、圧縮空気を使うために、コンプレッサーを用意しなければならず、家庭などの組み立て現場にわざわざそれを持ち運ぶ必要があって、設備に余計なコストがかかったりして、実用的なものでなかった。
【０００８】
さらに、実用新案登録第３０３９０５９号は、内装カバー内面と平行なテープを用意して両者中央部に１つの細長支柱をそれぞれに固着介在させてテープの一方端を引っ張ると屋根を形成させる、屋根付きカバーを開示している。しかし、この先行例では、ユニットの比較的長く大きいものには、そのカバーも荷重が大きくなって、その支持部が崩れ、使いものにならなかった。
【０００９】
【発明が解決しようとする課題】
本発明の目的は、空気袋など空気又はコンプレッサーの使用を要せず、比較的長くて大きいユニットに保護カバーを覆うことが可能で、またその上部に平面とか凹部が生ぜず、雨による水たまりが生じない三角状屋根を形成でき、しかもコストがかからず、実用的な、プレハブ住宅などユニット用カバーの内装支持具を提供することである。
【００１０】
【課題を解決するための手段】
前記した目的は、ユニットの上部に平坦部があるものについては、硬質シート台と、この硬質シート台の一方端に固定され、他方端にのびた第１の帯紐と、この帯紐に間隔を置いて下端部が連結された複数の起倒可能な板状つか部と、各板状つか部の上端部と硬質シート台の周縁に固着された１つの覆い袋部と、該一方端より直近の板状つか部の下端部に接続された第２の帯紐とを備え、第１の帯紐を他方端で引っ張ると各板状つか部が起立して覆い袋部が張り膨らみ、また第２の帯紐を一方端で引っ張ると板状つか部が倒れて覆い袋部が平坦化され、折りたたみ可能にさせることにより、達成される。
【００１１】
同様の目的は、ユニットの上部に天井がない陥没状のものについては、天井のないプレハブユニットの上部開口縁に固定される橋板枠上に硬質シート台を固定して、この硬質シート台の一方端に固定され、他方端にのびた第１の帯紐と、この帯紐に間隔を置いて下端部が連結された複数の起倒可能な板状つか部と、各板状つか部の上端部と硬質シート台の周縁に固着された１つの覆い袋部と、該一方端より直近の板状つか部の下端部に接続された第２の帯紐とを備え、第１の帯紐を他方端で引っ張ると各板状つか部が起立して覆い袋部が張り膨らみ、また第２の帯紐を一方端で引っ張ると板状つか部が倒れて覆い袋部が平坦化され、折りたたみ可能にさせることにより、達成される。
【００１２】
【作用】
ユニットの大きさないし長さに合わせて相当数の板状つた部が設けられるので、ユニットの大小に柔軟に適用でき、また２つの帯紐をそれぞれ反対方向へ引っ張るようにして使い、第１の帯紐は長尺で各板状つた部を起立させ、同時に覆い袋部を膨らませるために引っ張られ、、第２の帯紐は短尺で起立した各板状つた部を倒すために引っ張られる。
【００１３】
【発明の実施の形態】
本発明の好適な実施例は、図面に基づいて説明される。
図１はその実施例として覆い袋部１９を切り裂いて内部を示した内装支持具１０の内部展開図である。
【００１４】
１２は硬質シート台、１４はこの硬質シート台１２の一方端に固定され、他方端にのびた第１の帯紐、１８はこの帯紐１４に間隔を置いて下端部が連結された複数の起倒可能な板状つか部、１９は各板状つか部１８の上端部と硬質シート台１２の周縁に固着された１つの覆い袋部、１６は硬質シート台１２の一方端より直近の板状つか部１８の下端部に接続された第２の帯紐であり、第１の帯紐１４を他方端で引っ張ると各板状つか部１８が起立して覆い袋部１９が張り膨らみ、図３にみられるようになる。この状態で、それぞれの帯紐１４，１６は図示せぬユニットの外壁又は地上の杭などに固定され、その上で保護カバーが被され、図５のようになる。
【００１５】
ユニットを使うときには、保護カバーを取り除き、帯紐１４，１６の固定を解き、弛めた後、第２の帯紐１６を硬質シート台１２の一方端で引っ張ると各板状つか部１８が倒れて覆い袋部１９が収縮して平坦化され、折り畳み可能になり、図４のようになる。
【００１６】
硬質シート台１２及び板状つか部１８の材質はとくに限定されない。木材、金属、プラスチックなど任意のもので、本発明の機能を達成するものであればよい。図示例では、第１の帯紐１４が硬質シート台１２の一方端で固定され、また板状つか部１８の下端部でも連結固定されるために、ウエルダーによる溶着加工に都合がよく、各表面はビニールレザーが貼られている。帯紐１４，１６は繊維又はプラスチック系のものが使われる。覆い袋部１９は帆布、ポリエチレンなどのものが一般に使われる。
【００１７】
図２は、本発明による橋板枠２０の斜視図である。
橋板枠本体２０は、天井のないプレハブユニット４０の上部開口両端縁間の長さに合わしてその長さ寸法が決まり、必要によりヒンジ継ぎ手２４を介して伸ばされる。２２、２２は天井のないプレハブユニット４０の上部開口両端縁内壁面に当接して、橋板枠２０を固定させる当たり面板である。
【００１８】
なお、橋板枠本体２０は一般的には木材が使われるが、アルミ板により加工したものであってもよく、その場合その両側面に入れ子式に伸張可能にした手段を施し、ユニットの長短に適用できるように、橋板枠２０が長手方向に長短調節可能に構成されていることが好ましい。
【００１９】
ユニット上部が平坦である場合には、内装支持具１０をそのままその上部平坦面に固定して、図示しないユニット用保護カバーが雨よけのために使われる。
しかし、天井のないプレハブユニット４０については、図２に示すような橋板枠２０の上に内装支持具１０が固定され、そのために硬質シート台１２の両端にフック１２ｆを、また橋板枠２０の両端にリング２０ｆをそれぞれ備えて、両者をはめ合わせる。
【００２０】
なお、覆い袋部１９内部が、真空状態になって操作に不都合が生じないように、その一部にネットなど通気部１９ｎを備え、空気の抜き勝手を容易にするのが好ましい。
【００２１】
部品点数を少なくしてコスト節減のために、天井のないプレハブユニット４０の上部開口縁に固定される橋板枠２０と硬質シート台１２とを一体に構成することが提案される。比較的小さいユニットで上部両端縁間が短いものに有利に適用される。
【００２２】
図５は、本発明による内装支持具１０を用いてその覆い袋部１９の上から被せた保護カバーにより保護されたユニットの外観見取り図である。これにより、カバー上部は屋根型を形成し、雨が降ってもそのすそへ流れ去り、ユニット全体が保護される。なお、保護カバーは帆布、ポリエチレンなどのものが一般で複数枚使われる。
【００２３】
【発明の効果】
本発明によれば、帯紐の自由端が引張られることにより複数の板状つた部が硬質シート台の上面をてこにして起立し、覆い袋部が屋根として形成され、その上にユニットの保護カバーが掛けられるので、この保護カバー自体には凹部が生ぜず、雨が降っても下方に流れて水がたまらず、また保護カバー内部にも雨が洩れないために、このような住宅ユニットは損傷を受けずに、長期間にわたって保護される。
また、ユニットの大きさないし長さに合わせて相当数の板状つた部が設けられるので、ユニットの大小に柔軟に適用できる。
【図面の簡単な説明】
【図１】本発明によるユニットカバー用内装支持具の内部展開図。
【図２】本発明による橋板枠の斜視図。
【図３】本発明による板状つか部が起立した場合の態様例示図。
【図４】該つか部が倒れた場合の態様例示図。
【図５】本発明による内装支持具を用いて保護カバーを被せたユニット外観例示図。
【図６】天井のないプレハブユニットの例示図。
【図７】ユニット上部が平坦でそのまま保護カバーを被せた場合の例示図。
【図８】天井のないプレハブユニットにそのまま保護カバーを被せた場合の例示図。
【符号の説明】
１０    内装支持具                １２    硬質シート台
１４    第１の帯紐                １６    第２の帯紐
１８    板状つか部                １９    覆い袋部
２０    橋板枠                    ２２    当たり面板
２４    ヒンジ継ぎ手              ３０    ユニット用保護カバー
４０    天井のないプレハブユニット
【図１】
0003543177.tif 000002
【図２】
0003543177.tif 000003
【図３】
0003543177.tif 000004
【図４】
0003543177.tif 000005
【図５】
0003543177.tif 000006
【図６】
0003543177.tif 000007
【図７】
0003543177.tif 000008
【図８】
0003543177.tif 000009